(57)【特許請求の範囲】
【請求項１】
支持体と固定部材から構成される軒樋支持具であって、前記支持体は取付部とこの取付部のほぼ中央部から屋外側に向けて突出した支持腕とからなり、前記固定部材は、前記取付部が挿入できる距離を隔ててほぼ平行な左右壁と、ほぼ平行な屋外側壁と屋内側壁とを有する筒状体であり、この屋外側壁には上端が開口している切欠部が設けられ、左右壁には上部に係止凹部が設けられ、屋内側壁には、屋内側に複数個の上向きの円弧状の易折性の釘高さ規制片と、この円弧状の内側に釘が通過できる通孔とが設けられ、前記支持体の取付部の左右端には、固定部材の係止凹部に対応する位置に左右方向に、それぞれ突出している突出片が設けられ、屋内面には固定部材の通孔に対応する位置から下端に開口しているＴ字形のあり溝が設けられ、このあり溝は入口が釘の軸体が通過する大きさで、内部が釘の頭が通過する大きさであることを特徴とする軒樋支持具。
【発明の詳細な説明】
【０００１】
【発明の属する技術分野】
本発明は、軒樋を軒先に保持する軒樋支持具に関する。
【０００２】
【従来の技術】
従来、軒樋を軒先に保持する軒樋支持具には、軒樋支持体と固定部材とが一体になったものを鼻隠し板に固定するものと、軒樋支持体と固定部材とが分離され、固定部材を鼻隠し板に固定し、この固定部材に軒樋支持体を取り付けるもの等種々な構造のものがある。
前者の軒樋支持具としては、実開平４−３０６２７号公報に記載の軒樋支持具が知られている。この軒樋支持具は、実開平４−３０６２７号公報に記載あるように、軒樋支持体と固定部材とが一体になっており、固定部材に設けられた釘、又は、ビス用の通孔に釘、又は、ビスを通して鼻隠し板に打ちつけ、軒樋支持具を鼻隠し板に固定するものである。
又、後者の軒樋支持具としては、実開平１−８３８４２号公報に記載の軒樋支持具が知られている。この軒樋支持具は、実開平１−８３８４２号公報に記載あるように、軒樋支持体と固定部材とが分離されたもので、軒樋支持体の屋内側端部に、軒樋支持体に対して直角方向に曲成延設して取付部を設け、固定部材には断面コ字状の抱持部を設け、抱持部のコ字状の端縁より外方に固定片を設け、この固定片に釘の通孔を設けたものがある。この軒樋支持具は、固定部材の固定片を釘で鼻隠し板に打ちつけ、固定部材を鼻隠し板に固定し、軒樋支持体の取付部を、固定部材の抱持部により抱持するものである。
【０００３】
【発明が解決しようとする課題】
しかしながら、前者の軒樋支持具では、高所の狭い場所で、固定部材の通孔に釘を差し込み、ハンマ−で釘を鼻隠し板に打ちつける際、軒先の水切り並びに軒樋支持体が邪魔になって、作業がやりにくく、施工性が悪い。その上、ハンマ−で無理に強打していると、水切りを破損させるという問題がある。又、後者の軒樋支持具は、軒樋支持体と固定部材とが分離されているので、釘をハンマ−で強打して固定部材だけを取り付ければよく、軒先の水切り並びに軒樋支持体が邪魔にならずに打ち込むことができ、施工性は改善できるが、冬場の大雪時の積雪荷重によって引き抜かれたり、強風による風圧で、固定部材の抱持部より軒樋支持体の取付部が抜けたりして、軒樋支持具や軒樋が破損する問題が起こっていた。そこで、本発明の目的は、上記問題に着目してなされたもので、軒先への取付が、強固で、簡単にでき、しかも、積雪等の荷重が掛かっても、破損しない軒樋支持具を提供するものである。
【０００４】
【課題を解決するための手段】
本発明は上記の目的を達成するためになされたもので、支持体と固定部材から構成される軒樋支持具であって、前記支持体は取付部とこの取付部のほぼ中央部から屋外側に向けて突出した支持腕とからなり、前記固定部材は、前記取付部が挿入できる距離を隔ててほぼ平行な左右壁と、ほぼ平行な屋外側壁と屋内側壁とを有する筒状体であり、この屋外側壁には上端が開口している切欠部が設けられ、左右壁には上部に係止凹部が設けられ、屋内側壁には、屋内側に複数個の上向きの円弧状の易折性の釘高さ規制片と、この円弧状の内側に釘が通過できる通孔とが設けられ、前記支持体の取付部の左右端には、固定部材の係止凹部に対応する位置に左右方向に、それぞれ突出している突出片が設けられ、屋内面には固定部材の通孔に対応する位置から下端に開口しているＴ字形のあり溝が設けられ、このあり溝は入口が釘の軸体が通過する大きさで、内部が釘の頭が通過する大きさである。
【０００５】
（作用）
本発明の軒樋支持具では、固定部材の屋内側壁には、屋内側に複数個の上向きの円弧状の易折性の釘高さ規制片と、この円弧状の内側に釘が通過できる通孔とが設けられているから、この通孔に釘を差し込み、釘の頭が仮止め突出片の上端とほぼ同じ高さまで、釘を軒先の鼻隠し板に打ち込むことにより、固定部材を鼻隠し板に取り付けることができる。即ち、釘高さ規制片は、固定部材を鼻隠し板に釘で取り付ける時に、固定部材の屋内側面からの釘頭の高さを、所定の高さに揃える機能を有している。この時、釘は釘高さ規制片の高さまでしか打ち込まれないので、支持体が固定部材に取り付けられて釘高さ規制片が折れる迄は、固定部材は鼻隠し板に仮止めされた状態となっている。
【０００６】
又、固定部材は、取付部が挿入できる距離を隔ててほぼ平行な左右壁と、ほぼ平行な屋外側壁と屋内側壁とを有する筒状体であり、屋外側壁には上端が開口している切欠部が設けられ、屋内側壁には複数個の易折性の上向きの内弧状の釘高さ規制片が設けられ、支持体の取付部は、屋内面には、固定部材の通孔に対応する位置から下端に開口しているＴ字形のあり溝が設けられ、このあり溝は入口が釘の軸体が通過する大きさで、内部が釘の頭が通過する大きさであるから、取付部の屋内面のＴ字形のあり溝の下端の開口を、固定部材の屋内側壁に設けられている易折性の仮止め突出片とこの釘高さ規制片の内側の通孔に差し込まれている釘とに当て、釘の軸体があり溝の入口に、釘の頭があり溝の内部にくるようにしてあり溝に沿って、易折性の釘高さ規制片の両側を折りながら、支持体の取付部を固定部材の切欠部に差し込むことができる。
【０００７】
そして、折れた釘高さ規制片は固定部材の屋内側壁と支持体の取付部の屋内面との間に挟まれ、支持体が固定部材に取り付けられると同時に、固定部材の屋内側壁と支持体の取付部の屋内面との間に、折れた複数個の釘高さ規制片が挟まれることによって、支持体の取付部の屋内面を屋外側に押す力が働き、支持体の取付部が固定部材の中で、固定部材が動かないように、しっかりと鼻隠し板に取り付けることができる。
【０００８】
更に、固定部材の左右壁には上部に係止凹部が設けられ、支持体の取付部の左右端には固定部材の係止凹部に対応する位置に左右それぞれの方向に突出している突出片が設けられているから、支持体の取付部を固定部材の筒状体に差し込んでゆくと、固定部材の左右壁の上部の係止凹部に、支持体の取付部の上部左右端の突出片が嵌合し、固定部材と支持体の取付部とがしっかりと固定される。従って、積雪荷重により支持体が固定部材から引き抜かれたり、強風による風圧で支持体が固定部材から抜けることはない。
【０００９】
【発明の実施の形態】
本発明の軒樋支持具は、吊具であってもよいし、或いは受具であってもよい。軒樋支持具が吊具の場合、固定部材の屋外側に突出して設けられた支持腕の先端部に軒樋の屋外側耳を保持する屋外側耳保持部と、屋外側耳保持部の屋内側に屋内側耳保持部が設けられ、軒樋の屋外側耳と屋内側耳をそれぞれの保持部に保持して使用される。又、軒樋支持具が受具の場合、支持腕は軒樋の外周面と略同じ形状になされ、軒樋の外周面を支持腕で下方から支持して使用される。
【００１０】
本発明の軒樋支持具において、固定部材の屋外側壁表面上端近傍に沿って突設されるリブは、固定部材の屋外側壁表面上縁部の一端から他端まで連続して設けられていてもよいし、間隔をあけて設けられていてもよく、リブの形状は特に限定されない。
【００１１】
また、本発明の軒樋支持具の材質は、合成樹脂や金属等いずれでもよいが、合成樹脂を使用すると、軽量で加工が容易であるから好適である。
【００１２】
本発明の実施例を図１〜図３に基づいて説明する。
図１〜図３は本発明の一実施例で、図１の（イ）は軒樋支持具の支持体の側面図、（ロ）は支持体の背面図、（ハ）は（ロ）のＡ−Ａ線における切断端面図、（ニ）は固定部材の斜視説明図、図２は支持体を固定部材に差し込んだ状態を示す説明図、図３の（イ）は取付部の屋内面のＴ字形のあり溝の下端の開口を、釘高さ規制片の内側の通孔に差し込まれている釘に当てた状態を示す説明図、（ロ）は支持体の取付部を固定部材の切欠部に差し込んだ状態を示す説明図である。
【００１３】
図１において、Ａは合成樹脂製の軒樋支持具であり、この軒樋支持具Ａは、支持体１と固定部材２とから構成されている。
【００１４】
固定部材２は、図１の（ハ）に示すように、取付部３が挿入できる距離を隔ててほぼ平行な左右壁１０とほぼ平行な屋外側壁１１と屋内側壁１２とを有する筒状体１３である。  この左右壁１０には、上部に係止凹部５が設けられている。この屋外側壁１１には、上端が開口している切欠部１４と屋外側壁１１の両側端部にリブ１６が設けられている。この屋内側壁１２には、複数個の易折性の上向きの内弧状の釘高さ規制片８と、この円弧状の内側に釘１５が通過できる通孔７とが設けられている。
【００１５】
支持体１は、図１の（イ）に示すように、取付部３と支持腕４とからなっている。取付部３は板状体で、この取付部３の屋外側面には上端ほぼ中央部から屋外側に向けて支持腕４が突出して設けられている。この取付部３の左右端には、固定部材２の係止凹部５に対応する位置に左右それぞれの方向に突出している突出片６が設けられている。取付部３の屋内面には、図１の（ロ）及び（ハ）に示すように、固定部材２の通孔７に対応する位置から下端に開口しているＴ字形のあり溝９が設けられている。図１の（ハ）に示すように、このＴ字形のあり溝９の入口９１は釘の軸体が通過する大きさとなされており、内部９２は釘の頭が通過する大きさとなされている。この支持腕４には、図１の（イ）に示すように、屋外側先端部に設けられた屋外側耳保持部４１と、この支持腕４の屋内側に設けられた屋内側耳保持部４２とが設けられている。
【００１６】
次に、本実施例の施工方法及び作用を説明する。
固定部材２の屋内側壁１２の４ヵ所の通孔７にそれぞれ釘１５を差し込み、釘１５の頭が易折性の上向きの内弧状の釘高さ規制片８の上端とほぼ同じ高さ迄、釘１５を鼻隠し板（図示省略）に打ちつけて、固定部材２を鼻隠し板に固定する。次に、支持体１の取付部３を、固定部材２の筒状体１３に上方より差し込み、取付部３の屋内面のＴ字形のあり溝９の下端の開口を、あり溝９の入口９１に釘の軸体と内部９２に釘の頭とがくるようにして、あり溝９に沿わせて取付部３を強く差し込む。
【００１７】
すると、Ｔ字形のあり溝９の内部９２は釘の頭が通過する大きさとなされているから、釘の頭はあり溝９の内部９２に沿って下がるが、入口９１の下端は釘の軸体が通過する大きさとなされているため、釘の軸体の外側にある上向きの円弧状の易折性の釘高さ規制片８に当たり、取付部３を強く差し込むことによって、易折性の仮止め突出片８の両側が折れる。折れた釘高さ規制片８は固定部材２の屋内側壁１２と支持体１の取付部３の屋内面との間に挟まれる。固定部材２の屋内側壁１２と支持体１の取付部３の屋内面との間に、この折れた複数個の釘高さ規制片８が挟まれると、支持体１の取付部３の屋内面を屋外側に押す力が働き、支持体１の取付部３が固定部材２の中に収まり、固定部材が動かないように、しっかりと鼻隠し板に取り付けることができる。
【００１８】
更に、あり溝９に沿わせて取付部３を強く差し込んでゆくと、固定部材２の左右壁１０には上部に係止凹部５が設けられ、支持体１の取付部３の左右端には固定部材２の係止凹部５に対応する位置に左右それぞれの方向に突出している突出片６が設けられているから、固定部材２の左右壁１０の上部の係止凹部５に支持体１の取付部３の上部左右端の突出片６が嵌合し、固定部材２と支持体１の取付部３とがしっかりと固定される。従って、積雪荷重により支持体１が固定部材２から引き抜かれたり、強風による風圧で支持体１が固定部材２から抜けたり、破損したりしない。
【００１９】
以上、本発明実施例を図面に基づいて説明してきたが、具体的な構成はこの実施例の限られるものではなく本発明の要旨を逸脱しない範囲の設計変更等があっても本発明に含まれる。
【００２０】
【発明の効果】
以上、説明してきたように本発明の軒樋支持具にあっては、固定部材の屋内側壁には、屋内側に複数個の上向きの円弧状の易折性の釘高さ規制片と、この円弧状の内側に釘が通過できる通孔とが設けられているから、この通孔に釘を差し込み、釘の頭が釘高さ規制片の上端に当接するまで、釘を軒先の鼻隠し板に打ち込むことにより、固定部材を鼻隠し板に取り付けることができ、取付が簡単である。
【００２１】
又、固定部材は、取付部が挿入できる距離を隔ててほぼ平行な左右壁とほぼ平行な屋外側壁と屋内側壁とを有する筒状体であり、屋外側壁には上端が開口している切欠部が設けられ、屋内側壁には複数個の易折性の上向きの内弧状の釘高さ規制片が設けられ、支持体の取付部は、屋内面には、固定部材の通孔に対応する位置から下端に開口しているＴ字形のあり溝が設けられ、このあり溝は入口が釘の軸体が通過する大きさで、内部が釘の頭が通過する大きさであるから、取付部の屋内面のＴ字形のあり溝の下端の開口を、固定部材の屋内側壁に設けられている易折性の釘高さ規制片とこの釘高さ規制片の内側の通孔に差し込まれている釘とに当て、釘の軸体があり溝の入口に、釘の頭があり溝の内部にくるようにしてあり溝に沿って、易折性の釘高さ規制片の両側を折りながら、支持体の取付部を固定部材の切欠部に差し込むことができる。
【００２２】
そして、この折れた釘高さ規制片は固定部材の屋内側壁と支持体の取付部の屋内面との間に挟まれることになり、支持体が固定部材に取り付けられると同時に、固定部材の屋内側壁と支持体の取付部の屋内面との間に、折れた複数個の釘高さ規制片が挟まれることによって、支持体の取付部の屋内面を屋外側に押す力が働き、支持体の取付部が固定部材の中で、固定部材が動かないように、しっかりと鼻隠し板に取り付けることができ、積雪荷重により支持体が固定部材から引き抜かれたり、強風による風圧で支持体が固定部材から抜けたり、破損したりしない。
【００２３】
更に、固定部材の左右壁には上部に係止凹部が設けられ、支持体の取付部の左右端には固定部材の係止凹部に対応する位置に左右それぞれの方向に突出している突出片が設けられているから、支持体の取付部を固定部材の筒状体に差し込んでゆくと、固定部材の左右壁の上部の係止凹部に、支持体の取付部の上部左右端の突出片が嵌合し、固定部材と支持体の取付部とがしっかりと固定される。従って、積雪荷重による分力で支持体が固定部材から引き抜かれたり、強風による風圧で支持体が固定部材から抜けることはない。
【図面の簡単な説明】
【図１】（イ）は軒樋支持具の支持体の側面図、（ロ）は支持体の背面図、（ハ）は（ロ）のＡ−Ａ線における切断端面図、（ニ）は固定部材の斜視説明図、である。
【図２】支持体を固定部材に差し込んだ状態を示す説明図である。
【図３】（イ）は取付部の屋内面のＴ字形のあり溝の下端の開口を、釘高さ規制片の内側の通孔に差し込まれている釘に当てた状態を示す説明図、（ロ）は支持体の取付部を固定部材の切欠部に差し込んだ状態を示す説明図である。
【符号の説明】
Ａ    軒樋支持具
１    支持体
２    固定部材
３    取付部
４    支持腕
４１  屋外側耳保持部
４２  屋内側耳保持部
５    係止凹部
６    突出片
７    通孔
８    釘高さ規制片
９    あり溝
１０  左右壁
１１  屋外側壁
１２  屋内側壁
１３  筒状体
１４  切欠部
１５  釘
１６  リブ
９１  入口
９２  内部
【図１】
0003609510.tif 000002
【図２】
0003609510.tif 000003
【図３】
0003609510.tif 000004